(57)【要約】【課題】  マルチファンクション装置におけるＦＡＸ受信印刷で、特定の給紙トレイ固定の設定がなされている場合であっても、原寸大で印刷結果を受け取れるようにすることを目的とする。【解決手段】  ＦＡＸ受信の印刷について給紙トレイ固定の設定がなされている場合に、給紙制御により、受信した画像サイズに合わせて給紙選択を行う。例えば、印刷開始後（ステップＳ２０１）に画像が分割する場合（ステップＳ２０２／ＹＥＳ）は、給紙トレイ固定の設定をキャンセルし給紙選択処理がなされ（ステップＳ２０３）、ページ印刷処理し（ステップＳ２０４）、これが終了すると（ステップＳ２０５／ＹＥＳ）印刷終了となる（ステップＳ２０６）。【選択図】  図２
2006341955.tif 000002
【特許請求の範囲】
【請求項１】
ファクシミリ機能を含む複数種の機能を備えた画像形成装置において、
相手先がＦＡＸ送信した用紙サイズに合わせて給紙トレイを選択する給紙トレイ選択手段と、
ＦＡＸ受信した画像を特定の給紙トレイから必ず印刷する給紙トレイ固定の設定がされている場合に、前記給紙トレイ固定の設定をキャンセルし前記給紙トレイ選択手段に選択させる制御手段とを有することを特徴とする画像形成装置。
【請求項２】
前記制御手段は、相手先がＦＡＸ送信した用紙サイズよりも前記給紙トレイ固定の設定による用紙サイズが小さい結果、ＦＡＸ受信した画像が複数枚に分割して印刷される場合に、前記給紙トレイ固定の設定をキャンセルし、前記給紙トレイ選択手段に選択させることを特徴とする請求項１に記載の画像形成装置。
【請求項３】
前記制御手段は、相手先がＦＡＸ送信した用紙サイズよりも前記給紙トレイ固定の設定による用紙サイズが小さい結果、ＦＡＸ受信した画像が縮小して印刷される場合に、前記給紙トレイ固定の設定をキャンセルし、前記給紙トレイ選択手段に選択させることを特徴とする請求項１又は２に記載の画像形成装置。
【請求項４】
前記給紙トレイ固定の設定、前記給紙トレイ選択手段のいずれかをユーザにより決定できる決定手段を有することを特徴とする請求項１から３のいずれか１項に記載の画像形成装置。
【請求項５】
前記決定手段は、前記給紙トレイ固定の設定、前記の印刷分割時における前記給紙トレイ選択手段、前記の印刷縮小時における前記給紙トレイ選択手段のいずれかをユーザにより決定できることを特徴とする請求項４に記載の画像形成装置。
【請求項６】
ファクシミリ機能を含む複数種の機能を備えた画像形成装置の給紙方法において、
画像をＦＡＸ受信する受信工程と、
相手先がＦＡＸ送信した用紙サイズに合わせて給紙トレイを選択する給紙トレイ選択工程とを有し、
ＦＡＸ受信した画像を特定の給紙トレイから必ず印刷する給紙トレイ固定の設定がされている場合に、前記給紙トレイ固定の設定をキャンセルし前記給紙トレイ選択工程を行わせる制御工程とを有することを特徴とする給紙方法。
【請求項７】
前記制御工程は、相手先がＦＡＸ送信した用紙サイズよりも前記給紙トレイ固定の設定による用紙サイズが小さい結果、ＦＡＸ受信した画像が複数枚に分割して印刷される場合に、前記給紙トレイ固定の設定をキャンセルし、前記給紙トレイ選択工程を行わせることを特徴とする請求項６に記載の給紙方法。
【請求項８】
前記制御工程は、相手先がＦＡＸ送信した用紙サイズよりも前記給紙トレイ固定の設定による用紙サイズが小さい結果、ＦＡＸ受信した画像が縮小して印刷される場合に、前記給紙トレイ固定の設定をキャンセルし、前記給紙トレイ選択工程を行わせることを特徴とする請求項６又は７に記載の給紙方法。
【請求項９】
前記給紙トレイ固定の設定、前記給紙トレイ選択のいずれかをユーザにより決定できる決定工程を有することを特徴とする請求項６から８のいずれか１項に記載の給紙方法。
【請求項１０】
前記決定工程は、前記給紙トレイ固定の設定、前記の印刷分割時における前記給紙トレイ選択、前記の印刷縮小時における前記給紙トレイ選択のいずれかをユーザにより決定できることを特徴とする請求項９に記載の給紙方法。
【発明の詳細な説明】
【技術分野】
【０００１】
本発明は、複写機、ファクシミリ機等の画像形成装置に関し、特に機能毎に給紙トレイを固定して印刷することができるマルチファンクション装置の給紙制御に関するものである。
【背景技術】
【０００２】
従来、複数段の給紙トレイを備えた画像形成装置が利用されている。このような装置では、複数のうちの１段について記録紙収容量を増やした大容量給紙トレイとして、使用頻度の高いサイズの記録紙を大量にストックしておくことにより、作業途中の紙切れに対応し、ユーザによる記録紙補充回数を少なくするようにしたものも多い。
【０００３】
一方で近年、画像形成装置におけるデジタル化から、複写機能、プリント機能、ファクシミリ機能等の多機能を有する装置、いわゆるマルチファンクション装置が使用されるようになってきている。
【０００４】
大容量給紙トレイを有する複数段給紙トレイの画像形成装置について、上記の多機能を備えさせた場合、ＦＡＸ受信による印刷で大容量給紙トレイが選択されたときには、給紙に時間がかかりトータルのコピー作業時間が増大することがある。これは、大容量給紙トレイはその他のトレイよりも下に配置されており、記録紙搬送経路が長くなるためである。
【０００５】
これに鑑み、特許文献１では、機能毎に給紙トレイを固定して印刷できるようにした画像形成装置が提案されており、例えば、用紙を大量に使用するコピーについては大容量給紙トレイを固定し、ＦＡＸ受信時の印刷については必ず印刷できるように専用の給紙段を設定して印刷する等のように使用されている。
【特許文献１】特開２００４−１１００４７号公報
【発明の開示】
【発明が解決しようとする課題】
【０００６】
しかし、上記発明は、以下の問題を有している。
【０００７】
上記のようにしてＦＡＸ受信データの印刷を特定の給紙トレイに固定した場合、受信データによっては、受信画像が勝手に分割されて印刷されたり、受信画像が勝手に縮小されて印刷されたりすることが起こり得る。例えば、Ａ４の給紙トレイが固定されていたにもかかわらずＡ３のサイズの画像を受信した場合に、画像形成装置の設定によって、２枚目に分割して印刷されたり、１枚に縮小して印刷されたりする。このような問題は、ＦＡＸ通信により受信して印刷する場合、事前に固定した特定の給紙トレイのサイズとＦＡＸ受信される画像サイズが常時合致するものではないため発生する。受信した画像を原寸大で受け取りたい利用者にとっては、上記の問題を回避するためには、給紙トレイ固定の機能は使用できないこととなる。
【０００８】
また、利用者によっては、ＦＡＸ受信した画像を原寸大の状態で受け取りたい者もいれば、印刷結果にはこだわらず確実にＦＡＸを受信したいと考える者もおり、このような多様な要求を持ったユーザに対応しうることが望ましい。
【０００９】
そこで、本発明は、ＦＡＸ受信時の印刷において、特定の給紙トレイ固定の設定がなされている場合であっても、原寸大で印刷結果を受け取れるようにすることを目的とする。そして、ユーザの様々な要求に応じた印刷を可能とすることを目的とする。
【課題を解決するための手段】
【００１０】
かかる目的を達成するために、本発明は以下の特徴を有する。
【００１１】
請求項１記載の発明は、画像形成装置において、ファクシミリ機能を含む複数種の機能を備え、相手先がＦＡＸ送信した用紙サイズに合わせて給紙トレイを選択する給紙トレイ選択手段と、ＦＡＸ受信した画像を特定の給紙トレイから必ず印刷する給紙トレイ固定の設定がされている場合に前記給紙トレイ固定の設定をキャンセルし前記給紙トレイ選択手段に選択させる制御手段とを有することを特徴とする。
【００１２】
請求項２記載の発明は、請求項１に記載の画像形成装置おいて、前記制御手段は、相手先がＦＡＸ送信した用紙サイズよりも前記給紙トレイ固定の設定による用紙サイズが小さい結果、ＦＡＸ受信した画像が複数枚に分割して印刷される場合に、前記給紙トレイ固定の設定をキャンセルし、前記給紙トレイ選択手段に選択させることを特徴とする。
【００１３】
請求項３記載の発明は、請求項１又は２に記載の画像形成装置において、前記制御手段は、相手先がＦＡＸ送信した用紙サイズよりも前記給紙トレイ固定の設定による用紙サイズが小さい結果、ＦＡＸ受信した画像が縮小して印刷される場合に、前記給紙トレイ固定の設定をキャンセルし、前記給紙トレイ選択手段に選択させることを特徴とする。
【００１４】
請求項４記載の発明は、請求項１から３のいずれか１項に記載の画像形成装置において、前記給紙トレイ固定の設定、前記給紙トレイ選択手段のいずれかをユーザにより決定できる決定手段を有することを特徴とする。
【００１５】
請求項５記載の発明は、請求項４に記載の画像形成装置において、前記決定手段は、前記給紙トレイ固定の設定、前記の印刷分割時における前記給紙トレイ選択手段、前記の印刷縮小時における前記給紙トレイ選択手段のいずれかをユーザにより決定できることを特徴とする。
【００１６】
請求項６記載の発明は、ファクシミリ機能を含む複数種の機能を備えた画像形成装置の給紙方法において、画像をＦＡＸ受信する受信工程と、相手先がＦＡＸ送信した用紙サイズに合わせて給紙トレイを選択する給紙トレイ選択工程とを有し、ＦＡＸ受信した画像を特定の給紙トレイから必ず印刷する給紙トレイ固定の設定がされている場合に前記給紙トレイ固定の設定をキャンセルし前記給紙トレイ選択工程を行わせる制御工程とを有することを特徴とする。
【００１７】
請求項７記載の発明は、請求項６に記載の給紙方法において、前記制御工程は、相手先がＦＡＸ送信した用紙サイズよりも前記給紙トレイ固定の設定による用紙サイズが小さい結果、ＦＡＸ受信した画像が複数枚に分割して印刷される場合に、前記給紙トレイ固定の設定をキャンセルし、前記給紙トレイ選択工程を行わせることを特徴とする。
【００１８】
請求項８記載の発明は、請求項６又は７に記載の給紙方法において、前記制御工程は、相手先がＦＡＸ送信した用紙サイズよりも前記給紙トレイ固定の設定による用紙サイズが小さい結果、ＦＡＸ受信した画像が縮小して印刷される場合に、前記給紙トレイ固定の設定をキャンセルし、前記給紙トレイ選択工程を行わせることを特徴とする。
【００１９】
請求項９記載の発明は、請求項６から８のいずれか１項に記載の給紙方法において、前記給紙トレイ固定の設定、前記給紙トレイ選択のいずれかをユーザにより決定できる決定工程を有することを特徴とする。
【００２０】
請求項１０記載の発明は、請求項９に記載の給紙方法において、前記決定工程は、前記給紙トレイ固定の設定、前記の印刷分割時における前記給紙トレイ選択、前記の印刷縮小時における前記給紙トレイ選択のいずれかをユーザにより決定できることを特徴とする。
【発明の効果】
【００２１】
本発明は、ＦＡＸ受信時の印刷において、特定の給紙トレイ固定の設定がなされている場合であっても、該設定をキャンセルし受信した画像サイズに合わせて給紙トレイの選択を行うことで、原寸大で受け取ることが可能となる。また、上記の選択にて印刷を行うか、給紙トレイ固定の設定にて印刷を行うかをユーザが選択できるようにすることで、ユーザの様々な要求に応じた印刷が実現される。
【発明を実施するための最良の形態】
【００２２】
まず、本発明の実施形態に係る画像形成装置について説明する。
【００２３】
図１は、本実施形態に係る画像形成装置の構成を示したブロック図である。当該装置は、スキャナ部１０１、画像情報メモリ１０２、圧縮部１０３、圧縮データ格納バッファ１０４、伸長部１０５、伸長データ展開メモリ１０６、プロッタ部１０７、操作部１２１、表示部１２２、システム制御部１２３、ネットワークコントロール部１２４及びモデムＦＣＵ部１２５から構成される。
【００２４】
スキャナ部１０１は、原稿を読み取って画像情報を出力する。画像情報メモリ１０２は、スキャナ部１０１で読み取った原稿及びＦＡＸ受信した原稿を蓄積する。ＤＣ部である圧縮部１０３は、画像データを圧縮する。ＳＡＦである圧縮データ格納バッファ１０４は、圧縮部１０３で圧縮された画像データを格納する。ＤＲ部である伸長部１０５は、圧縮部１０３で圧縮された画像データを伸長する。ページメモリである伸長データ展開メモリ１０６は、伸長部１０５で伸長された画像データを展開する。プロッタ部１０７は、画像情報を印刷する。操作部１２１は、印刷設定やＦＡＸ受送信等の操作を行う。表示部１２２は、装置状態、駆動条件等の各種情報や操作部１２１で実行されるユーザの入力操作のための情報等を表示する。システム制御部１２３は、装置全体を総括制御する。ネットワークコントロール部１２４は、外部の周辺機器、コンピュータあるいはネットワークと接続をする。モデムＦＣＵ部１２５は、相手先のＦＡＸ端末との間でＦＡＸデータを送受信するＦＡＸ通信を行う。
【００２５】
次に、本実施形態に係る給紙制御について説明する。
【００２６】
図２は、本実施形態に係る給紙制御のフローチャートである。なお、給紙トレイ固定の設定がされていることが前提となる。後述する図３、図４での説明においても同様である。
【００２７】
まず、ＦＡＸが受信し画像データの印刷開始が行われる（ステップＳ２０１）。印刷が複数枚に分割される場合（ステップＳ２０２／ＹＥＳ）は、給紙トレイ固定の設定がキャンセルされ給紙トレイ選択の処理が行われ（ステップＳ２０３）、ページ印刷処理となる（ステップＳ２０４）。印刷が分割されない場合（ステップＳ２０２／ＮＯ）は、給紙トレイ固定の設定がなされた状態でページ印刷処理が行われる（ステップＳ２０４）。ページ印刷が終了すると（ステップＳ２０５／ＹＥＳ）、印刷終了となる（ステップＳ２０６）。ページ印刷が終了しない場合は（ステップＳ２０５／ＮＯ）、再び印刷が分割したか否かが判断され（ステップＳ２０２）、同様の動作が繰り返される。
【００２８】
図３は、本発明の他の実施形態に係る給紙制御のフローチャートである。
【００２９】
まず、ＦＡＸが受信し画像データの印刷開始が行われる（ステップＳ３０１）。印刷が縮小される場合（ステップＳ３０２／ＹＥＳ）は、給紙トレイ固定の設定がキャンセルされ給紙トレイ選択の処理が行われ（ステップＳ３０３）、ページ印刷処理となる（ステップＳ３０４）。印刷が縮小されない場合（ステップＳ３０２／ＮＯ）は、給紙トレイ固定の設定がなされた状態でページ印刷処理が行われる（ステップＳ３０４）。ページ印刷が終了すると（ステップＳ３０５／ＹＥＳ）、印刷終了となる（ステップＳ３０６）。ページ印刷が終了しない場合は（ステップＳ３０５／ＮＯ）、再び印刷が縮小したか否かが判断され（ステップＳ３０２）、同様の動作が繰り返される。
【００３０】
図４は、本発明の他の実施形態に係る給紙制御及びユーザによる給紙手段決定のフローチャートである。
【００３１】
まず、印刷の分割時において給紙トレイ選択を行う場合であるが、分割時における給紙トレイ選択の設定以降は図２のフローと同様である。すなわち、印刷開始後（ステップＳ４０１）、ユーザによる分割時の設定がなされているため（ステップＳ４０２／ＹＥＳ）、給紙トレイ固定の設定がキャンセルされ給紙トレイ選択処理となり（ステップＳ４０３）、ページ印刷が実行され（ステップＳ４０４）、ページ印刷が終了すると（ステップＳ４０５／ＹＥＳ）印刷終了となる（ステップＳ４１２）。ページ印刷が終了でないときは（ステップＳ４０５／ＮＯ）、再び前記選択がなされ同様の動作が繰り返される。
【００３２】
次に、印刷の縮小時における給紙トレイ選択であるが、上記の分割の場合のように縮小時における給紙トレイ選択の設定以降は図３のフローと同様である。印刷開始後（ステップＳ４０１）、分割時の設定はされておらず（ステップＳ４０２／ＮＯ）、ユーザによる縮小時の設定がなされているため（ステップＳ４０６／ＹＥＳ）、給紙トレイ固定の設定がキャンセルされ給紙トレイ選択処理となり（ステップＳ４０７）、ページ印刷が実行され（ステップＳ４０８）、ページ印刷が終了すると（ステップＳ４０９／ＹＥＳ）印刷終了となる（ステップＳ４１２）。ページ印刷が終了でないときは（ステップＳ４０９／ＮＯ）、再び前記選択がなされ同様の動作となる。
【００３３】
続いて、給紙トレイ固定の設定での印刷である。印刷が開始された後（ステップＳ４０１）、分割時の設定はなされておらず（ステップＳ４０２／ＮＯ）、また縮小時の設定もなされていないため（ステップＳ４０６／ＮＯ）、予め設定された固定トレイがユーザにより決定されたことになり、ページ印刷処理が実行される（ステップＳ４１０）。ページ印刷が終了すると（ステップＳ４１１／ＹＥＳ）、印刷終了となる（ステップＳ４１２）。ページ印刷が終了しない場合は（ステップＳ４１１／ＮＯ）、再びページ印刷処理となり同様の動作は繰り返される。
【００３４】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【図面の簡単な説明】
【００３５】
【図１】本発明の実施形態に係る画像形成装置の構成を示したブロック図である。
【図２】本実施形態に係る給紙制御の動作を示したフローチャートである。
【図３】本実施形態に係る給紙制御の動作を示したフローチャートである。
【図４】本実施形態に係る給紙制御及びユーザによる給紙手段決定の動作を示したフローチャートである。
【符号の説明】
【００３６】
１０１    スキャナ部
１０２    画像情報メモリ
１０３    圧縮部
１０４    圧縮データ格納バッファ
１０５    伸長部
１０６    伸長データ展開メモリ
１０７    プロッタ部
１２１    操作部
１２２    表示部
１２３    システム制御部
１２４    ネットワークコントロール部
１２５    モデムＦＣＵ部
【図１】
2006341955.tif 000003
【図２】
2006341955.tif 000004
【図３】
2006341955.tif 000005
【図４】
2006341955.tif 000006